【事件の表示】
　特願２００４−５１６６２９「少なくとも１種の（メタ）アクリル酸モノマーを含有する液体Ｆを輸送する方法」拒絶査定不服審判事件〔平成１６年　１月　８日国際公開、ＷＯ２００４／００３３８９、平成１７年１０月１３日国内公表、特表２００５−５３０９５４〕について、次のとおり審決する。
【結　論】
　本件審判の請求は、成り立たない。
【理　由】
　
１．手続の経緯・本願発明
　
　本願は、平成１５年６月２０日（パリ条約による優先権主張外国庁受理２００２年６月２７日、ドイツ連邦共和国）を国際出願日とする出願であって、本願の請求項１ないし４に係る発明は、平成２１年２月１０日付け及び平成２１年１１月１２日付けの手続補正によって補正された明細書及び図面の記載からみて、その特許請求の範囲の請求項１ないし４に記載された事項によって特定されるとおりのものと認められるところ、本願の請求項１に係る発明は、以下のとおりのものである。なお、上記平成２１年１１月１２日付けの手続補正は、当該補正前の特許請求の範囲の請求項３ないし８の削除を目的とするものである。
「【請求項１】
　ａ）ポンプ室、
ｂ）推進室および
ｃ）ポンプ室と推進室を互いに分離する分離室
を有する輸送ポンプを使用して少なくとも１種の（メタ）アクリル酸モノマーを含有する流体Ｆを輸送する方法であり、その際
ポンプ室が流体Ｆを輸送するための少なくとも１つの輸送部品を有し、
流体Ｆが入力エネルギーによりポンプ室に供給され、
流体Ｆが入力エネルギーより大きい出力エネルギーによりポンプ室を離れ、
推進室で駆動されるシャフトが推進室から分離室を通りポンプ室に貫通され、
ポンプ室に含まれる少なくとも１つの輸送部品がポンプ室に貫通された推進軸と、前記推進軸がトルクを輸送部品に伝達できるように結合され、
分離室がバリア媒体で充填され、前記バリア媒体はバリアガスおよび／またはバリア液からなり、流体Ｆと異なり、
推進軸がポンプ室内で支承されていない
輸送ポンプを使用して少なくとも１種の（メタ）アクリル酸モノマーを含有する流体Ｆを輸送する方法において、バリア媒体の圧力がポンプ室内の圧力および推進室内の圧力より大きく、分離室を貫通する推進軸の区間に、ポンプ室ならびに推進室に向かって推進軸と堅固に、不透過性に結合されたスライド部品が設けられ、スライド部品が推進軸によって突入された分離室の内壁上で密閉されて滑動することを特徴とする流体Ｆの輸送法。」（以下「本願発明」という。）
　
２．引用刊行物とその記載事項
　
　原査定の拒絶の理由に引用された刊行物は、次のとおりである。
　
　刊行物１：欧州特許出願公開第１０９２８７４号明細書
　刊行物２：米国特許第４８６５３３３号明細書
　刊行物３：英国特許出願公開第１２０６８３０号明細書
　
（１）刊行物１（欧州特許出願公開第１０９２８７４号明細書）の記載事項
　
　刊行物１には、「易重合性化合物の移送方法（Method for transferring  easily-polymerizable substance）」に関し、図面（特にFIG.３）とともに次の事項が記載されている。翻訳は当審によるものである。なお、刊行物１に対応するパテントファミリーの特開２００１−１１４７０５号公報があるが、内容が整合しない部分もあるため参考とするにとどめた。
　
　（ア）　「【０００１】This invention relates to a method for transferring  easily-polymerizable substance, and more particularly to a method for transferring  easily-polymerizable substance such as (meth)acrylic acid in a stable manner for a longer time by effectively preventing polymerization.
（【０００１】本発明は易重合性化合物（easily-polymerizable substance）の移送方法、詳しくは、重合物の形成を効果的に防止して、長期にわたり安定的な状態で、（メタ）アクリル酸（（meth） acrylic acid）などの易重合性化合物（easily-polymerizable substance）を移送する方法に関する。）」
　
　（イ）　「【００１７】Alternatively, it may be preferable to use a gas seal type motor pump whose main shaft extends in a vertical direction, and which is provided with a gas chamber between an impeller and a motor portion. More preferably, the gas chamber is filled with molecular oxygen containing gas. It may be more preferable that the chamber is filled with 0.01 to 0.05 volumetric percent of the oxygen-containing gas to the capacity of the pump.
（【００１７】他の方法は、主軸（main shaft）が垂直方向に延び、インペラー（impeller）とモータ部（motor portion）との間にガスチャンバ（gas chamber）を設けたガスシール型モータポンプ（gas seal type motor pump）を使用することが好ましい。より好ましくは、ガスチャンバ（gas chamber）は、分子状酸素含有ガス（molecular oxygen containing gas）で充填されている。上記チャンバ（chamber）は、ポンプ容量に対して、０．０１〜０．０５容量％の酸素含有ガス（oxygen-containing gas）で充填されているのがより好ましい。）」
　
　（ウ）　「【００１８】As examples of the easily-polymerizable substance to be transferred according to the inventive method are (meth)acrylic acid and its ester including (meth)acrylates such as hydroxyethy(meth)acrylate, hydroxypropyl(meth)acrylate, glycydyl(meth)acrylate, methyl(meth)acrylate, butyl(meth)acrylate, ethylacrylate, 2-ethylhexylacrylate, N,N-dimethylaminoethylacrylate.
（【００１８】本発明の方法により移送する易重合性化合物（easily-polymerizable substance）の代表例としては、（メタ）アクリル酸（（meth） acrylic acid））及びそのエステル（ester）、例えばヒドロキシエチル（メタ）アクリレート、ヒドロキシプロピル（メタ）アクリレート、グリシジル（メタ）アクリレート、メチル（メタ）アクリレート、ブチル（メタ）アクリレートなどの（メタ）アクリレート、エチルアクリレート、２−エチルヘキシルアクリレート、Ｎ，Ｎ−ジメチルアミノエチルアクリレートなどを挙げることができる。）」
　
　（エ）　「【００２８】FIG. 3  shows a specific construction of a gas seal type motor pump  300  alternatively used as the transferring pump  3 . Similarly to the circulation type canned motor pump  30 , the gas seal type motor pump  300  includes a motor section  300M and a pump section  300P arranged below the motor section  300M. The motor section  300M is provided with a main shaft  310  extending in a vertical direction to the pump section  300P. Also, the main shaft  310  is mounted with a rotor (not shown). The main shaft  310  is rotatably held in the vertical direction by bearings  380 . The pump section  300P is provided with a casing  340  defining a main passage  350  through which the easily-polymerizable substance is transferred, and an impeller  360  mounted on a lower end of the main shaft  310  for transferring the easily-polymerizable substance.
……
【００３０】In the gas seal type motor pump  300 , also, there is provided a gas chamber  320  between the motor section  300M and the pump section  300P. The gas chamber  320  is separated from the motor section  300M by a mechanical seal  330 . The gas chamber  320  is filled with molecular oxygen-containing gas. It may be preferable to fill 0.01 to 0.05 volumetric percent of the oxygen-containing gas relative to the capacity of the pump  300  within the gas chamber  320 .
【００３１】In the gas seal type motor pump  300 , the motor section  300M which is the heat generation source is arranged in the top, the easily-polymerizable substance flowing passage  350  which is required to keep from heat is arranged in the bottom, and the gas chamber  320  which serves as heat isolation is arranged between the motor section  300M and the liquid flowing passage  350 . Accordingly, the heat generated in the motor section  300M can be assuredly prevented from transmitting to the liquid flowing passage  350 , thereby keeping polymerization from occurring in the liquid flowing passage  350  and around the impeller  360 .
（【００２８】FIG.３は、移送ポンプ３として他に用いられるガスシール型モータポンプ（gas seal type motor pump）３００の特定の構造を示す。自己液循環型キャンドモータポンプ３０と同様に、ガスシール型モータポンプ（gas seal type motor pump）３００は、モータ部（motor section）３００Ｍ及び当該モータ部（motor section）３００Ｍの下方に配置されるポンプ部（pump section）３００Ｐを有している。モータ部（motor section）３００Ｍは、ポンプ部（pump section）３００Ｐに垂直方向に延びる主軸（main shaft）３１０を備えている。また、主軸（main shaft）３１０は、ローター（図示なし）に結合されている。主軸（main shaft）３１０は、ベアリング（bearing）３８０により垂直方向で回転可能に支承されている。ポンプ部（pump section）３００Ｐは、易重合性化合物（easily-polymerizable substance）が移送される主流路（main passage）３５０を画定するケーシング（casing）３４０、及び、易重合性化合物（easily-polymerizable substance）を移送するために主軸（main shaft）３１０の下端部に結合されたインペラー（impeller）３６０を有している。
……
【００３０】また、ガスシール型モータポンプ（gas seal type motor pump）３００は、モータ部（motor section）３００Ｍとポンプ部（pump section）３００Ｐとの間にガスチャンバ（gas chamber）３２０を有している。ガスチャンバ（gas chamber）３２０は、メカニカルシール（mechanical seal）３３０によりモータ部（motor section）３００Ｍから隔離されている。ガスチャンバ（gas chamber）３２０は、分子状酸素含有ガス（molecular oxygen-containing gas）で充填されている。ガスチャンバ（gas chamber）３２０内では、ポンプ（pump）３００の容量に対して、０．０１〜０．０５容量％の酸素含有ガス（oxygen-containing gas）で充填されているのが好ましい。
【００３１】ガスシール型モータポンプ（gas seal type motor pump）３００では、熱発生源であるモータ部（motor section）３００Ｍは上部に配置され、熱から保護する必要のある易重合性化合物（easily-polymerizable substance）の流動流路（passage）３５０は下部に配置され、また、熱の遮断部となるガスチャンバ（gas chamber）３２０がモータ部（motor section）３００Ｍと液の流動流路（passage）３５０との間に配置されている。したがって、モータ部（motor section）３００Ｍで発生する熱が、液の流動流路（passage）３５０に伝達されるのを確実に遮断し、それにより、液の流動流路（passage）３５０内やインペラー（impeller）３６０の周りで生じる重合物の形成を確実に防止する。）
　
　上記記載事項（ア）〜（エ）及び図面（特にFIG.３）の記載を総合すると、刊行物１には、
「ポンプ部（pump section）３００Ｐ、
モータ部（motor section）３００Ｍ及び
ポンプ部（pump section）３００Ｐとモータ部（motor section）３００Ｍとの間のガスチャンバ（gas chamber）３２０
を有するガスシール型モータポンプ（gas seal type motor pump）３００を使用して易重合性化合物（easily-polymerizable substance）を移送する方法であり、その際
ポンプ部（pump section）３００Ｐが易重合性化合物（easily-polymerizable substance）を移送するためのインペラー（impeller）３６０を有し、
易重合性化合物（easily-polymerizable substance）がポンプ部（pump section）３００Ｐのケーシング（casing）３４０により画定される主流路（main passage）３５０を移送され、
モータ部（motor section）３００Ｍに備えられた主軸（main shaft）３１０がポンプ部（pump section）３００Ｐに垂直方向に延び、
ポンプ部（pump section）３００Ｐに含まれるインペラー（impeller）３６０が主軸（main shaft）３１０の下端部に結合され、
ガスチャンバ（gas chamber）３２０が分子状酸素含有ガス（molecular oxygen-containing gas）で充填され、
主軸（main shaft）３１０がベアリング（bearing）３８０により支承されているガスシール型モータポンプ（gas seal type motor pump）３００を使用して易重合性化合物（easily-polymerizable substance）を移送する方法。」
の発明（以下「引用発明」という。）が記載されているものと認められる。
　
（２）刊行物２（米国特許第４８６５３３３号明細書）の記載事項
　
　刊行物２には、「シール保護装置（SEAL　PROTECTION　APPARATUS）」に関する発明が、図面とともに記載されており、特に、第１欄第６６行〜第２欄第２２行及び図面の記載を総合すると、
　「ポンプケーシング（pump casing）１２を貫通するシャフト（shaft）１０の区間に、メカニカルシール（mechanical seal）１６が設けられており、上記メカニカルシール（mechanical seal）１６は環状本体（annnular body）１８を有し、当該環状本体（annnular body）１８は食込みねじ（grub screw）２０によってシャフト（shaft）１０にしっかりと連結されており、圧縮ばね（compression spring）２２が環状本体（annnular body）１８と環状シールリング（annular seal ring）２４との間で作用するようになっており、別の環状シールリング（another annular seal ring）２８がプレート（plate）３０によって支持されており、当該プレート（plate）３０はポンプケーシング（pump casing）１２に連結されており、上記圧縮ばね（compression spring）２２は、シャフト（shaft）１０とともに回転する環状シールリング（annular seal ring）２４、及び、固定された別の環状シールリング（another annular seal ring）２８の両シール面を押し付け合うようになっていること。」
が記載されているものと認められる。なお、刊行物２に対応するパテントファミリーの特開昭６３−１６７１８１号公報があるが、技術的に必ずしも明確であるとはいえない翻訳もあるため参考とするにとどめた。
　
（３）刊行物３（英国特許出願公開第１２０６８３０号明細書）の記載事項
　
　刊行物３には、「水洗装置を備えたメカニカルシール（MECHANICAL　SEAL　WITH　FLUSHING　ARRANGEMENT）」に関する発明が、図面とともに記載されており、特に、第２ページ左欄第４１行〜第３ページ左欄第２１行及び図面（特に図１）の記載を総合すると、
「貯留室（stuffing box chamber）８４は、メカニカルシール（mechanical seal）によってポンプ室（pump housing chamber）８６からシールされており、当該シールの構成は、圧縮ばね（compression spring）７６が内側の押圧リング（inbord pusher ring）７７を押すことにより、内側の固定リング（inboard stationary face ring）５０のシール面（radial sealing face）５１と内側の回転リング（inboard rotary face ring）５４のシール面（radial sealing face）５５とが、当接するものであること。」
が記載されているものと認められ、
また同様に、特に、第３ページ左欄第５２〜５７行及び図面（特に図１）の記載を総合すると、
「貯留室（stuffing box chamber）８４の圧力が、ポンプ室（pump housing chamber）８６の圧力及び外部の圧力より大きいこと。」
が記載されているものと認められる。
　
３．発明の対比
　
　本願発明と引用発明とを対比すると（以下、各部材の英語併記は省略する。）、引用発明の「ポンプ部３００Ｐ」は、その機能からみて、本願発明の「ポンプ室」に相当し、以下同様に、「モータ部３００Ｍ」は「推進室」に、「ガスチャンバ３２０」は「分離室」に、「ガスシール型モータポンプ３００」は「輸送ポンプ」に、「移送する」は「輸送する」に、「インペラー３６０」は「少なくとも１つの輸送部品」に、「主軸３１０」は「シャフト」に、それぞれ相当する。
　
　そして、引用発明の「ガスチャンバ３２０」が、ポンプ部３００Ｐとモータ部３００Ｍを互いに分離することはFIG.３の記載から明らかであるので、当該ガスチャンバ３２０の構成は、本願発明の「ポンプ室と推進室を互いに分離する分離室」に相当する。
　また、本願明細書の段落【０００２】〜【０００５】の記載及び刊行物１の上記記載事項（ウ）を参酌すると、引用発明の「易重合性化合物」は、本願発明の「少なくとも１種の（メタ）アクリル酸モノマーを含有する流体Ｆ」を含むものと認められる。
　引用発明の「易重合性化合物がポンプ部３００Ｐのケーシング３４０により画定される主流路３５０を移送され」ることは、技術常識からみて、本願発明の「流体Ｆが入力エネルギーによりポンプ室に供給され、流体Ｆが入力エネルギーより大きい出力エネルギーによりポンプ室を離れ」ることに実質的に相当する。
　引用発明の「モータ部３００Ｍに備えられた主軸３１０がポンプ部３００Ｐに垂直方向に延び」ることは、FIG.３の記載を参酌すれば、本願発明の「推進室で駆動されるシャフトが推進室から分離室を通りポンプ室に貫通され」に一応相当するものである。
　引用発明の主軸３１０がトルクをインペラー３６０に伝達できるように結合されていることは技術常識からみて明らかであるから、引用発明の「ポンプ部３００Ｐに含まれるインペラー３６０が主軸３１０の下端部に結合され」ることは、本願発明の「ポンプ室に含まれる少なくとも１つの輸送部品がポンプ室に貫通された推進軸と、前記推進軸がトルクを輸送部品に伝達できるように結合され」ることに実質的に相当する。
　引用発明の「分子状酸素含有ガス」は、本願発明の「バリアガス」の一種であり、易重合性化合物と異なるから、引用発明の「ガスチャンバ３２０が分子状酸素含有ガスで充填され」ることは、本願発明の「分離室がバリア媒体で充填され、前記バリア媒体はバリアガスからなり、流体Ｆと異な」ることに実質的に相当する。
　引用発明の「ベアリング３８０」は、FIG.３の記載を参酌すると、モータ部３００Ｍに備えられており、ポンプ部３００Ｐ内には備えられていないから、引用発明の「主軸３１０がベアリング３８０により支承されている」ことは、本願発明の「推進軸がポンプ室内で支承されていない」ことに実質的に相当する。
　
　よって、本願発明と引用発明とは、
［一致点］
「ポンプ室、
推進室および
ポンプ室と推進室を互いに分離する分離室
を有する輸送ポンプを使用して少なくとも１種の（メタ）アクリル酸モノマーを含有する流体Ｆを輸送する方法であり、その際
ポンプ室が流体Ｆを輸送するための少なくとも１つの輸送部品を有し、
流体Ｆが入力エネルギーによりポンプ室に供給され、
流体Ｆが入力エネルギーより大きい出力エネルギーによりポンプ室を離れ、
推進室で駆動されるシャフトが推進室から分離室を通りポンプ室に貫通され、
ポンプ室に含まれる少なくとも１つの輸送部品がポンプ室に貫通された推進軸と、前記推進軸がトルクを輸送部品に伝達できるように結合され、
分離室がバリア媒体で充填され、前記バリア媒体はバリアガスからなり、流体Ｆと異なり、
推進軸がポンプ室内で支承されていない
輸送ポンプを使用して少なくとも１種の（メタ）アクリル酸モノマーを含有する流体Ｆを輸送する方法。」
である点で一致し、次の点で相違する。
　
［相違点１］
　本願発明では、「バリア媒体の圧力がポンプ室内の圧力および推進室内の圧力より大きく」したのに対して、引用発明では、そのような圧力について明らかでない点。
　
［相違点２］
　本願発明では、「分離室を貫通する推進軸の区間に、ポンプ室ならびに推進室に向かって推進軸と堅固に、不透過性に結合されたスライド部品が設けられ、スライド部品が推進軸によって突入された分離室の内壁上で密閉されて滑動する」とあるのに対して、引用発明では、そのようなスライド部品を有していない点。
　
４．当審の判断
　
（１）相違点１について
　
　流体の輸送に使用される輸送ポンプにおいて、バリア媒体を分離室に充填する技術的意義が、流体Ｆのポンプ室からの漏れの防止にあることを考慮すれば、バリア媒体の圧力をポンプ室内の圧力より大きくすることは当業者が配慮すべき設計事項ともいえるところ、分離室に充填されるバリア媒体の圧力をポンプ室の圧力より大きくすることは、周知の技術（例えば、上記刊行物３記載の「貯留室８４の圧力が、ポンプ室８６の圧力及び外部の圧力より大きいこと。」を参照）として適宜採用されていることである。
　そうすると、引用発明のガスチャンバ３２０（分離室に相当する。以下同じ。）に充填される分子状酸素含有ガス（バリア媒体に相当する。以下同じ。）に上記周知の技術を適用することによって、上記相違点１に係る本願発明の構成とすることは、当業者が容易に想到し得たことである。
　
（２）相違点２について
　
　上記相違点２に係る本願発明の「ポンプ室ならびに推進室に向かって推進軸と堅固に、不透過性に結合されたスライド部品が設けられ、スライド部品が推進軸によって突入された分離室の内壁上で密閉されて滑動する」という特定事項は、その構成が必ずしも明確であるとはいえないので、本願明細書の記載を参酌すると、段落【００２４】には、「これらは一般に閉鎖作用を有するスライド部品としてスライドリング充填物を有する。前記スライドリング充填物は推進軸と堅固に結合され、これと一緒に回転するスライドリングおよび分離室内壁内部に固定された対抗リングを有する。」との記載があり、更には、平成２２年１０月１２日付けで提出された回答書には、「なお、補足しますと、出願当初明細書の段落［００２５］には『図２はスライドリング充填物の原理を示し』と記載されていますが、スライドリング充填物の原語であるGleitringdichtungはメカニカルシールあるいは端面シールを意味します（添付した参考資料１参照）。」との記載がある。
　これらの記載によれば、上記の特定事項は、分離室を貫通する推進軸の区間に、一般的な構成からなるメカニカルシールを設けるものと理解されるところ、流体の輸送に使用される輸送ポンプにおいて、当該輸送ポンプのポンプ室と推進室を互いに分離する分離室を貫通する推進軸の区間に相当する区間に、上記のようなメカニカルシールを設けることは、周知の技術である（例えば、上記刊行物２記載の「メカニカルシール１６」、上記刊行物３記載の「メカニカルシール（符号なし）」を参照）。
　そして、刊行物１の「ガスチャンバ３２０は、メカニカルシール３３０によりモータ部３００Ｍから隔離されている。」（上記記載事項（エ））との記載は、モータ部３００Ｍに対するガスチャンバ３２０のシールのために、メカニカルシール３３０を設けることを意味するものであるから、当該メカニカルシール３３０の具体的な手段として、上記周知のメカニカルシールを、引用発明のガスチャンバ３２０を貫通する主軸３１０（推進軸に相当する。以下同じ。）の区間に、モータ部３００Ｍに向かって設けるようにすることは、当業者が容易になし得ることである。
　また、刊行物１には、ポンプ部３００Ｐに対するガスチャンバ３２０のシールについて具体的な記載はないものの、FIG.３にはポンプ部３００Ｐとガスチャンバ３２０の間にハッチングをした部材が設けられており、これを技術常識に照らして参酌すれば、当該ハッチングをした部材はポンプ部３００Ｐの流体がガスチャンバ３２０に入ることを防止することができる何らかの手段が設けられているものと解される。そうすると、ポンプ部３００Ｐの流体がガスチャンバ３２０に入ることを防止する手段として、当該流体の性質や圧力差などに応じて適切なシール手段を選択することは当業者が容易に推考できることであって、上述のとおり、当該シール手段の一つとしてメカニカルシールは周知であることに照らせば、引用発明のガスチャンバ３２０を貫通する主軸３１０の区間に、上記周知のメカニカルシールを、モータ部３００Ｍのみならずポンプ部３００Ｐに向かって設けることよって、上記相違点２に係る本願発明の構成とすることは、当業者が容易に想到し得たことである。
　なお、流体の輸送法において、輸送ポンプの駆動軸を垂直方向に設置するか水平方向に設置するかは、流体を輸送する方向や他の関連部材とのレイアウトに応じて当業者が適宜決定する設計事項であって、設置する方向に応じて必要な設計変更を行うことは当業者が容易に推考できる程度のことである以上、刊行物１の実施例に記載された駆動軸（主軸３１０）が垂直方向に設けられているとしても引用発明に対して刊行物２や刊行物３に記載された発明の適用を妨げる事情にはならない。
　
（３）作用効果について
　
　本願発明が奏する作用効果は、いずれも刊行物１に記載された発明及び上記各周知の技術から当業者が予測できる程度のものである。
　
（４）審判請求人の主張について
　
　審判請求人は、平成２１年１１月１２日付けで提出した審判請求書の請求の理由において、刊行物２及び３には、（メタ）アクリル酸モノマーを含有する流体を輸送することは記載されていない旨を主張するとともに、本願発明による方法の場合に、駆動軸は垂直ならびに水平に配置されることができる旨を主張している。また、当審における審尋に対する平成２２年１０月１２日付けの回答書においても、本願発明による方法の場合に、駆動軸は水平にも支承されることができる旨を主張している。
　しかしながら、刊行物２及び３に引用発明と同じ流体を輸送することが記載されていないとしても、シール構造や圧力に関する技術事項を引用発明に適用することを妨げる事情にはならないことは明らかである。さらに、流体の輸送法において、輸送ポンプの駆動軸を垂直方向に設置するか水平方向に設置するかは、流体を輸送する方向や他の関連部材とのレイアウトに応じて当業者が適宜決定する設計事項にすぎないことは上記（２）に示したとおりであり、本願発明が上記設計事項の範囲を超えて特段の工夫をした構成を有するものでもない。
　よって、審判請求人の主張は採用できない。
　
５．むすび
　
　したがって、本願発明（請求項１に係る発明）は、刊行物１に記載された発明及び上記各周知の技術に基いて、当業者が容易に発明をすることができたものであり、特許法第２９条第２項の規定により特許を受けることができないから、請求項２ないし４に係る発明について検討するまでもなく、本願は拒絶すべきものである。
　よって、結論のとおり審決する。